(57)【特許請求の範囲】
【請求項１】
通信端末装置における受信品質に基づいて、前記通信端末装置に送信される情報信号の送信電力を制御する第１送信電力制御手段と、全通信端末装置に送信される情報信号の送信電力値のうち最大となる送信電力値に基づいて、全通信端末装置に共通に送信される既知信号の送信電力を制御する第２送信電力制御手段と、前記第１送信電力制御手段により送信電力が制御された通信端末装置に送信される情報信号と、前記第２送信電力制御手段により送信電力が制御された既知信号とを時間多重して、前記通信端末装置に対する送信信号を生成する生成手段と、を具備することを特徴とする基地局装置。
【請求項２】
通信端末装置における受信品質に基づいて、前記通信端末装置に送信される情報信号の送信電力を制御する第１制御工程と、全通信端末装置に送信される情報信号の送信電力値のうち最大となる送信電力値に基づいて、全通信端末装置に共通に送信される既知信号の送信電力を制御する第２制御工程と、第１制御工程において送信電力が制御された、通信端末装置に送信される情報信号、および、第２制御工程において送信電力が制御された既知信号を時間多重して、前記通信端末装置に対する送信信号を生成する生成工程と、生成工程において生成された全通信端末装置に対する送信信号を符号多重した信号を、下り回線を介して全通信端末装置に対して送信する送信工程と、を具備することを特徴とする通信方法。
【請求項３】
第２制御工程は、全通信端末装置に送信される情報信号の送信電力値のうち、前単位スロットにおいて最大であった送信電力値に代えて現単位スロットにおいて最大である送信電力値に基づいて、既知信号の送信電力を制御することを特徴とする請求項２に記載の通信方法。
【発明の詳細な説明】
【０００１】
【発明の属する技術分野】
本発明は、ディジタル移動体通信システムに用いられる通信装置に関し、特に、チャネル推定を実施するための既知信号（ミッドアンブル）を用いる通信装置に関する。
【０００２】
【従来の技術】
３ＧＰＰ・ＴＤＤ方式のディジタル移動体通信システムにおいては、チャネル推定を実施するために、ミッドアンブル（Ｍｉｄａｍｂｌｅ）と呼ばれる既知信号を用いることが、提案されている。ミッドアンブルを採用した移動体通信システムにおいては、基本となる符号を順次時間シフトさせて生成した符号を、各ユーザの個別ミッドアンブルとして用いるので、基地局装置においては、基本となる符号についての相関器を１つ用いることにより、各ユーザの個別ミッドアンブルについての相関演算を実施することができる、という特徴がある。これにより、基地局装置においては、各ユーザについてのチャネル推定を行なうことができる。
【０００３】
ところが、ユーザ数が増加すると、各ユーザに割り当てられるミッドアンブル長が長くなるので、スロットにおける情報信号の占める割合が小さくなる。この結果、システムにおける通信の効率が悪くなるという課題がある。
【０００４】
このような課題を解決するために、各ユーザの間で共通に用いられる既知信号すなわち共通ミッドアンブル（Ｃｏｍｍｏｎ  Ｍｉｄａｍｂｌｅ）をチャネル推定に用いることが、導入されている。このような共通ミッドミッドアンブルを用いる移動体通信システムにおいては、基地局装置は、データ部分とミッドアンブル部分（各ユーザの間で共通のミッドアンブル）とを挿入した信号を各ユーザに対して送信し、各ユーザ（各通信端末装置）は、基地局装置により送信された信号に対して、共通ミッドアンブルを用いたチャネル推定を行う。
【０００５】
【発明が解決しようとする課題】
しかしながら、上記従来の共通ミッドアンブルを用いる移動体通信システムにおいては、次のような問題がある。すなわち、現在の３ＧＰＰ・ＴＤＤ仕様では、共通ミッドアンブルを採用するときには、スロットにおけるデータ部分（data part）とミッドアンブル部分（midamble part）の送信電力を同一とするように規定されている。ミッドアンブル部分とデータ部分の送信電力を同一とした場合には、各ユーザに対する送信信号におけるデータ部分の送信電力を個別に制御することができないので、送信電力制御を行うことが不可能となる。
【０００６】
この結果、通信品質の悪いユーザ（例えば基地局装置に対して遠い位置に存在するユーザ）においては、データ部分およびミッドアンブル部分の受信電力が小さくなるので、チャネル推定の精度およびデータ部分の受信品質が劣化する。通信品質の悪いユーザの受信品質を向上させるためには、データ部分とミッドアンブル部分の送信電力を増加させる方法がある。しかし、この方法を採用すれば、基地局装置が扱うセルにおけるユーザの受信品質を向上させることはできても、他の基地局装置が扱うセルに対する干渉を大きくすることになる。
【０００７】
以上のように、従来の共通ミッドアンブルを用いる移動体通信システムにおいては、他のセルへの干渉を抑えながら、各ユーザの受信品質が良好となるように、各ユーザに対する送信信号におけるミッドアンブル部分およびデータ部分の送信電力を適切に制御することが困難である、という問題がある。
【０００８】
本発明は、かかる点に鑑みてなされたものであり、他セルに対する干渉を抑えつつ、各通信端末装置の受信品質が良好となるように、各通信端末装置に対する送信信号におけるミッドアンブル部分およびデータ部分の送信電力を適切に制御する基地局装置を提供することを目的とする。
【０００９】
【課題を解決するための手段】
本発明の基地局装置は、通信端末装置における受信品質に基づいて、前記通信端末装置に送信される情報信号の送信電力を制御する第１送信電力制御手段と、全通信端末装置に送信される情報信号の送信電力値のうち最大となる送信電力値に基づいて、全通信端末装置に共通に送信される既知信号の送信電力を制御する第２送信電力制御手段と、前記第１送信電力制御手段により送信電力が制御された通信端末装置に送信される情報信号と、前記第２送信電力制御手段により送信電力が制御された既知信号とを時間多重して、前記通信端末装置に対する送信信号を生成する生成手段と、を具備する構成を採る。
【００１１】
この構成によれば、所定の通信端末装置に対する情報信号については、上記所定の通信端末装置の受信品質に基づくクローズドループの送信電力制御に従って送信電力を制御する一方、所定の通信端末装置に対する既知信号については、全通信端末装置に送信される情報信号の送信電力値のうち最大である送信電力値に基づいて、全通信端末装置の間で共通となるように送信電力値を制御することにより、他セルに対する干渉を抑えつつ、各通信端末装置の受信品質が良好となるように、各通信端末装置に対する既知信号および情報信号の送信電力を適切に制御することができる。
【００１４】
本発明の通信方法は、通信端末装置における受信品質に基づいて、前記通信端末装置に送信される情報信号の送信電力を制御する第１制御工程と、全通信端末装置に送信される情報信号の送信電力値のうち最大となる送信電力値に基づいて、全通信端末装置に共通に送信される既知信号の送信電力を制御する第２制御工程と、第１制御工程において送信電力が制御された、通信端末装置に送信される情報信号、および、第２制御工程において送信電力が制御された既知信号を時間多重して、前記通信端末装置に対する送信信号を生成する生成工程と、生成工程において生成された全通信端末装置に対する送信信号を符号多重した信号を、下り回線を介して全通信端末装置に対して送信する送信工程と、を具備するようにした。
【００１５】
この方法によれば、所定の通信端末装置に対する情報信号については、上記所定の通信端末装置の受信品質に基づくクローズドループの送信電力制御に従って送信電力を制御する一方、所定の通信端末装置に対する既知信号については、全通信端末装置に送信される情報信号の送信電力値のうち最大である送信電力値に基づいて、全通信端末装置の間で共通となるように送信電力値を制御することにより、他セルに対する干渉を抑えつつ、各通信端末装置の受信品質が良好となるように、各通信端末装置に対する既知信号および情報信号の送信電力を適切に制御することができる。
【００１６】
本発明の通信方法は、第２制御工程が、全通信端末装置に送信される情報信号の送信電力値のうち、前単位スロットにおいて最大であった送信電力値に代えて現単位スロットにおいて最大である送信電力値に基づいて、既知信号の送信電力を制御するようにした。
【００１７】
この方法によれば、本基地局装置と複数の通信端末装置との間の距離（位置関係）が時々刻々変ろうとも、常に、他のセルに対する干渉をできるだけ抑えつつ、全通信端末装置におけるデータ部およびミッドアンブル部の受信品質を良好に保つことができる。
【００１８】
【発明の実施の形態】
本発明者は、まず、各通信端末装置に対する送信信号における情報信号（データ部分）の送信電力と、共通の既知信号（ミッドアンブル部分）の送信電力とを個別に制御することに着目した。具体的には、本発明者は、送信信号におけるデータ部分については、通信端末装置から送信されたＴＰＣを用いた通常のクローズドループの送信電力制御を行い、ミッドアンブル部分についても、このＴＰＣを用いた通常のクローズドループの送信電力制御を行うことに着目した。
【００１９】
ところが、各通信端末装置に対する送信信号におけるミッドアンブル部分の送信電力は、全通信端末装置の間で共通となるように設定するので、基地局装置が、各通信端末装置から異なるＴＰＣを受信した場合に、どのようにミッドアンブル部分の送信電力を制御すべきであるのかが問題となる。すなわち、全通信端末装置から送信電力を上げる（下げる）旨を指示するＴＰＣを受信したときには、単に各通信端末装置に対する送信信号におけるミッドアンブル部分の送信電力を増加させれば（減少させれば）よいが、ある通信端末装置からは送信電力を上げる旨を指示するＴＰＣを受信し、かつ、別の通信端末装置からは送信電力を下げる旨を指示するＴＰＣを受信した場合には、どのようにミッドアンブル部分の送信電力を制御すべきであるのかが問題となる。この問題の具体例について、図３を参照して説明する。
【００２０】
図３には、基地局装置１１が、複数の通信端末装置（ここでは、通信端末装置Ａ１２と通信端末装置Ｂ１３）と通信を行う場合の例が示されている。ただし、通信端末装置Ｂ１３は、通信端末装置Ａ１２よりも基地局装置１１から遠い位置に存在しているものとする。なお、図３においては、通信端末装置Ａ１２および通信端末装置Ｂ１３は、それぞれ「ＭＳ（Ａ）」および「ＭＳ（Ｂ）」と表現されている。
【００２１】
まず第１に、基地局装置１１が通信端末装置Ｂ１３からのＴＰＣに基づいて、通信端末装置Ａ１２および通信端末装置Ｂ１３に対する送信信号におけるミッドアンブル部分の送信電力を制御する場合について考える。ここで、通信端末装置Ｂ１３は、基地局装置１１から遠ざかる方向Ｘに移動するものとする。
【００２２】
この場合、通信端末装置Ｂ１３の受信電力は移動に伴って小さくなるので、通信端末装置Ｂ１３は、基地局装置１１に対して、送信電力を上げる旨のＴＰＣを送信することになる。基地局装置１１は、通信端末装置Ｂ１３からのＴＰＣに応じて、通信端末装置Ａ１２および通信端末装置Ｂ１３に対する送信信号におけるミッドアンブル部分の送信電力を上げていくことになる。これにより、通信端末装置Ｂ１３は、良好な受信品質でミッドアンブル部分およびデータ部分を受信することができる。一方、通信端末装置Ａ１２は、通信端末装置Ｂ１３よりも基地局装置１１に近い位置に存在しているので、必要以上の受信電力でミッドアンブル部分を受信することになる。これにより、基地局装置１１は、必要以上の送信電力を用いてミッドアンブル部分の送信を行うので、他のセルに対する干渉を大きくすることになる。
【００２３】
次に、基地局装置１１が通信端末装置Ａ１２からのＴＰＣに基づいて、通信端末装置Ａ１２および通信端末装置Ｂ１３に対する送信信号におけるミッドアンブル部分の送信電力を制御する場合について考える。ただし、通信端末装置ａ１２は、基地局装置１１から受信電力が大きくなるような近い位置に存在しているものとする。
【００２４】
この場合、通信端末装置Ａ１２の受信電力は大きなものであるので、通信端末装置Ａ１２は、基地局装置１１に対して送信電力を下げる旨のＴＰＣを送信する。基地局装置１１は、通信端末装置Ａ１２からのＴＰＣに応じて、通信端末装置Ａ１２および通信端末装置Ｂ１３に対する送信信号におけるミッドアンブル部分の送信電力を下げていくことになる。これにより、通信端末装置Ａ１２は、適度な受信電力でミッドアンブル部分およびデータ部分を受信することができる。一方、通信端末装置Ｂ１３は、通信端末装置Ａ１２よりも基地局装置１１に遠い位置に存在しているので、ミッドアンブル部分およびデータ部分を所望の受信品質で受信することが不可能となる可能性がある。この結果、通信端末装置Ｂ１３は、データ部分の受信品質が劣化し、さらにミッドアンブル部分の受信品質も劣化するので、良好なチャネル推定を実施することができなくなる。これにより、通信端末装置Ｂ１３のデータ部分の受信品質は、さらに劣化することになる。
【００２５】
以上のような問題点に鑑みて、本発明者は、全通信端末装置のうち、基地局装置により送信されるデータ部分の送信電力値が最大である通信端末装置は、最も通信品質が悪いことに着目し、この通信端末装置に対する送信信号におけるデータ部分の送信電力値に基づいて、全通信端末装置に対する送信信号におけるミッドアンブル部分の送信電力値を決定すれば、他セルに対するミッドアンブル部分の送信による干渉を必要最低限に抑えられるとともに、全通信端末装置におけるミッドアンブル部分の受信品質を良好に保つことができることを見出し本発明をするに至った。
【００２６】
すなわち、本発明の骨子は、所定の通信端末装置に対する送信信号におけるデータ部分については、上記所定の通信端末装置の受信品質に基づくクローズドループの送信電力制御に従って送信電力を制御する一方、所定の通信端末装置に対する送信信号におけるミッドアンブル部分については、全通信端末装置に送信されるデータ部の送信電力値のうち最大である送信電力値に基づいて、全通信端末装置の間で共通となるように送信電力を制御することである。
【００２７】
以下、本発明の実施の形態について、図面を参照して詳細に説明する。なお、以下の実施の形態では、説明の簡略化のために、基地局装置が例えば２つの通信端末装置（通信端末装置Ａおよび通信端末装置Ｂ）と通信を行う場合について説明する。
【００２８】
図１は、本発明の実施の形態にかかる基地局装置の構成を示すブロック図である。アンテナ１０１は、通信端末装置Ａおよび通信端末装置Ｂにより送信された信号が多重された信号を受信する。ここで、通信端末装置Ａ（通信端末装置Ｂ）により送信された信号には、この通信端末装置Ａ（通信端末装置Ｂ）が本基地局装置に対してデータ部の送信電力の上げ下げを指示するＴＰＣが含まれている。このＴＰＣは、本基地局装置により送信された信号（例えば何らかの既知信号等）の受信品質に基づいて、通信端末装置Ａ（通信端末装置Ｂ）により決定されたものである。
【００２９】
共用器１０２は、アンテナ１０１により受信された信号（受信信号）を受信ＲＦ部１０３に出力し、後述する送信ＲＦ部１１２からの送信信号をアンテナ１０１から送信する。
【００３０】
受信ＲＦ部１０３は、共用器１０２からの受信信号に対して、増幅処理および周波数変換処理等の所定の受信処理を行い、所定の受信処理後の受信信号を受信部１０４および受信部１０５に出力する。
【００３１】
受信部１０４（受信部１０５）は、受信ＲＦ部１０３からの受信信号を用いて、通信端末装置Ａ（通信端末装置Ｂ）により送信された信号を抽出してＴＰＣコマンド復号部１０６（ＴＰＣコマンド復号部１０７）に出力する。
【００３２】
ＴＰＣコマンド復号部１０６（ＴＰＣコマンド復号部１０７）は、受信部１０４（受信部１０５）により抽出された信号を用いて、通信端末装置Ａ（通信端末装置Ｂ）により送信されたＴＰＣコマンドを復号する。
【００３３】
データ部送信電力制御部１０８（データ部送信電力制御部１０９）は、ＴＰＣコマンド復号部１０６（ＴＰＣコマンド復号部１０７）からのＴＰＣコマンドに応じて、通信端末装置Ａ（通信端末装置Ｂ）に対する送信データの送信電力を増減させ、送信電力が増減された送信データを多重部１１１に出力する。また、このデータ部送信電力制御部１０８（データ部送信電力制御部１０９）は、通信端末装置Ａ（通信端末装置Ｂ）に対する送信データの送信電力値をミッドアンブル部送信電力制御部１１０に出力する。
【００３４】
ミッドアンブル部送信電力制御部１１０は、データ部送信電力制御部１０８およびデータ部送信電力制御部１０９からの通信端末装置Ａおよび通信端末装置Ｂに対する送信データの送信電力値を用いて、ミッドアンブル部の送信電力値を増減させ、送信電力が増減されたミッドアンブル部を多重部１１１に出力する。
【００３５】
多重部１１１は、データ部送信電力制御部１０８により送信電力が増減された通信端末装置Ａに対する送信データ、データ部送信電力制御部１０９により送信電力が増減された通信端末装置Ｂに対する送信データ、および、ミッドアンブル部１１０により送信電力が増減されたミッドアンブル部（共通ミッドアンブル）を用いて送信信号を生成し、生成した送信信号を送信ＲＦ部１１２に出力する。
【００３６】
送信ＲＦ部１１２は、多重部１１１からの送信信号に対して、増幅処理および周波数変換処理等の所定の送信処理を行い、送信処理後の送信信号を共用器１０２に出力する。
【００３７】
次いで、上記構成を有する基地局装置の動作について、同様に図１を参照して説明する。通信端末装置Ａにより送信された信号および通信端末装置Ｂにより送信された信号は、符号多重された状態で本基地局装置におけるアンテナ１０１により受信される。
【００３８】
アンテナ１０１により受信された信号（受信信号）は、共用器１０２を介して受信ＲＦ部１０３に出力される。共用器１０２からの受信信号は、受信ＲＦ部１０３により、増幅処理および周波数変換等の所定の受信処理がなされた後、受信部１０４および受信部１０５に出力される。
【００３９】
受信部１０４（受信部１０５）では、所定の受信処理がなされた受信信号から、通信端末装置Ａ（通信端末装置Ｂ）により送信された信号が抽出される。具体的には、例えば、所定の受信処理がなされた受信信号に対して、通信端末装置Ａ（通信端末装置Ｂ）に割り当てられた拡散符号を用いた逆拡散処理がなされることにより、通信端末装置Ａ（通信端末装置Ｂ）により送信された信号が抽出される。受信部１０４（受信部１０５）により抽出された信号は、ＴＰＣコマンド復号部１０６（ＴＰＣコマンド復号部１０７）に出力される。
【００４０】
ＴＰＣコマンド復号部１０６（ＴＰＣコマンド復号部１０７）では、受信部１０４（受信部１０５）により抽出された信号を用いて、通信端末装置Ａ（通信端末装置Ｂ）により送信されたＴＰＣコマンドが復号される。ＴＰＣコマンド復号部１０６（ＴＰＣコマンド復号部１０７）により抽出されたＴＰＣコマンドは、データ部送信電力制御部１０８（データ部送信電力制御部１０９）に出力される。
【００４１】
一方、通信端末装置Ａに対する送信データ（通信端末装置Ｂに対する送信データ）は、データ部送信電力制御部１０８（データ部送信電力制御部１０９）により、ＴＰＣコマンド復号部１０６（ＴＰＣコマンド復号部１０７）からのＴＰＣコマンドに応じて送信電力が増減された後、多重部１１１に出力される。なお、通信端末装置ＡからのＴＰＣコマンドが、送信電力を上げる（下げる）旨を示すものである場合には、通信端末装置Ａに対する送信データは、データ部送信電力制御部１０８により送信電力が増加（減少）される。通信端末装置Ｂに対する送信データも同様に送信電力が増減される。
【００４２】
データ部送信電力制御部１０８（データ部送信電力制御部１０９）により増減された後の通信端末装置Ａ（通信端末装置Ｂ）に対する送信データの送信電力値は、ミッドアンブル部送信電力制御部１１０に出力される。
【００４３】
ミッドアンブル部送信電力制御部１１０には、全通信端末装置に対する送信信号に共通で用いられるミッドアンブル（すなわち共通ミッドアンブル）部が入力されている。このミッドアンブル部は、データ部送信電力制御部１０８からの通信端末装置Ａに対する送信データの送信電力値、および、データ部送信電力制御部１０９からの通信端末装置Ｂに対する送信データの送信電力値に基づいて設定された送信電力値となるように、送信電力が増減される。
【００４４】
具体的には、例えば、ミッドアンブル部の送信電力値を、通信端末装置Ａに対する送信データの送信電力値および通信端末装置Ｂに対する送信データの送信電力値のうち、その値が最大となる送信電力値に、設定することができる。または、ミッドアンブル部の送信電力値を、上記最大となる送信電力値に正または負のオフセット値を加算した値とすることもできる。さらには、ミッドアンブル部の送信電力値を、通信端末装置Ａに対する送信データの送信電力値と、通信端末装置Ｂに対する送信データの送信電力値との和とすることもできる。
ミッドアンブル部送信電力制御部１１０により送信電力が増減されたミッドアンブル部は、多重部１１１に出力される。
【００４５】
多重部１１１では、送信電力が増減された通信端末装置Ａおよび通信端末装置Ｂに対する送信データ、および、送信電力が増減されたミッドアンブル部、を用いて、送信信号が生成される。具体的には、例えば、まず、所定の既知信号、ミッドアンブル部、および、通信端末装置Ａに対する送信データ等が時間多重された、通信端末装置Ａに対する送信信号が生成され、同様に、所定の既知信号、ミッドアンブル部、および、通信端末装置Ｂに対する送信データ等が時間多重された、通信端末装置Ｂに対する送信信号が生成される。さらに、生成された各通信端末装置に対する送信信号が符号多重されることにより、送信信号が生成される。なお、各通信端末装置に対する送信信号のスロット構成等に特別な限定はない。
【００４６】
多重部１１１により生成された送信信号は、送信ＲＦ部１１２により、増幅処理および周波数変換等の所定の送信処理がなされた後、共用器１０２を介してアンテナ１０１を介して、各通信端末装置に対して送信される。
【００４７】
次いで、本実施の形態にかかる基地局装置による効果について、さらに図２（ａ）〜図２（ｃ）を参照して説明する。図２（ａ）は、本発明の実施の形態にかかる基地局装置による通信端末装置Ａおよび通信端末装置Ｂに対する送信電力の大きさ（第１の場合）を示す模式図である。図２（ｂ）は、本発明の実施の形態にかかる基地局装置による通信端末装置Ａおよび通信端末装置Ｂに対する送信電力の大きさ（第２の場合）を示す模式図である。図２（ｃ）は、本発明の実施の形態にかかる基地局装置による通信端末装置Ａおよび通信端末装置Ｂに対する送信電力の大きさ（第３の場合）を示す模式図である。
【００４８】
以下、通信端末装置Ａが、最初は通信端末装置Ｂよりも本基地局装置から近い位置に存在していて、通信端末装置Ｂよりも本基地局装置から遠い位置に移動していく場合を例にとり説明する。
【００４９】
まず、通信端末装置Ａが通信端末装置Ｂよりも本基地局装置に近い位置に存在している場合（第１の場合）には、通信端末装置Ｂは、距離減衰を補償するために、データ部の送信電力を上げる旨を指示するＴＰＣを本基地局装置に対して送信する回数が、通信端末装置Ａよりも多くなる。
【００５０】
よって、図２（ａ）に示すように、本基地局装置においては、通信端末装置Ｂに対する送信信号におけるデータ部の送信電力は、通信端末装置Ａに対する送信信号におけるデータ部の送信電力よりも大きくなる。
【００５１】
したがって、本基地局装置は、各通信端末装置に対する送信信号におけるミッドアンブル部の送信電力を、通信端末装置Ｂに対する送信信号におけるデータ部の送信電力に合わせた上で、各通信端末装置に対する送信を行う。
【００５２】
このような本基地局装置の送信によれば、通信端末装置Ａにおいては、ミッドアンブル部の受信電力が大きくなり、チャネル推定精度が向上するので、データ部の受信品質も向上する。一方、通信端末装置Ｂにおいては、通常のクローズドループの送信電力制御がなされているので、データ部の受信品質は必要十分なものとなる。さらに、本基地局装置におけるミッドアンブル部の送信電力とデータ部の送信電力が略同一とされていることにより、通信端末装置Ｂにおけるミッドアンブル部の受信品質もデータ部と同様に、必要十分なものとなる。これにより、通信端末装置Ｂにおけるデータ部の受信品質はさらに良好なものとなる。
【００５３】
次に、本基地局装置に対する距離が通信端末装置Ａと通信端末装置Ｂとで同一となった場合（第２の場合）には、通信端末装置Ｂは、データ部の送信電力を上げる（下げる）旨を指示するＴＰＣを本基地局装置に対して送信する回数が、通信端末装置Ａと略同一となる。
【００５４】
よって、図２（ｂ）に示すように、本基地局装置においては、通信端末装置Ａに対する送信信号におけるデータ部の送信電力と、通信端末装置Ｂに対する送信信号におけるデータ部の送信電力とは略同一となる。
【００５５】
したがって、本基地局装置は、各通信端末装置に対する送信信号におけるミッドアンブル部の送信電力を、送信スロット（単位スロット）毎に、通信端末装置Ａおよび通信端末装置Ｂのうちデータ部の送信電力の大きい方の送信電力に合わせた上で、各通信端末装置に対する送信を行う。
【００５６】
このような本基地局装置の送信によれば、通信端末装置Ａおよび通信端末装置Ｂにおいては、通常のクローズドループの送信電力制御がなされているので、データ部の受信品質は必要十分なものとなる。さらに、本基地局装置におけるミッドアンブル部の送信電力とデータ部の送信電力が略同一とされていることにより、通信端末装置Ａおよび通信端末装置Ｂにおけるミッドアンブル部の受信品質もデータ部と同様に、必要十分なものとなる。これにより、通信端末装置Ａおよび通信端末装置Ｂにおけるデータ部の受信品質はさらに良好なものとなる。
【００５７】
最後に、通信端末装置Ａが通信端末装置Ｂよりも本基地局装置から遠い位置に存在している場合（第３の場合）には、通信端末装置Ａは、距離減衰を補償するために、データ部の送信電力を上げる旨を指示するＴＰＣを本基地局装置に対して送信する回数が、通信端末装置Ｂよりも多くなる。
【００５８】
よって、図２（ｃ）に示すように、本基地局装置においては、通信端末装置Ａに対する送信信号におけるデータ部の送信電力は、通信端末装置Ｂに対する送信信号におけるデータ部の送信電力よりも大きくなる。
【００５９】
したがって、本基地局装置は、各通信端末装置に対する送信信号におけるミッドアンブル部の送信電力を、通信端末装置Ａに対する送信信号におけるデータ部の送信電力に合わせた上で、各通信端末装置に対する送信を行う。
【００６０】
このような本基地局装置による送信によれば、通信端末装置Ｂにおいては、ミッドアンブル部の受信電力が大きくなり、チャネル推定精度が向上するので、データ部の受信品質も向上する。一方、通信端末装置Ａにおいては、通常のクローズドループの送信電力制御がなされているので、データ部の受信品質は必要十分なものとなる。さらに、本基地局装置におけるミッドアンブル部の送信電力とデータ部の送信電力が略同一とされていることにより、通信端末装置Ａにおけるミッドアンブル部の受信品質もデータ部と同様に、必要十分なものとなる。これにより、通信端末装置Ａにおけるデータ部の受信品質はさらに良好なものとなる。
【００６１】
以上のように、第１〜第３のいずれの場合においても、本基地局装置は、データ部の受信品質が良好となるように通信端末装置個別に送信電力を制御した上で、データ部を送信できるとともに、全通信端末装置により正確なチャネル推定が実施されるために必要最小限の送信電力で、全通信端末装置に対してミッドアンブル部を送信することができる。
【００６２】
これにより、本基地局装置は、必要以上の送信電力を用いてミッドアンブル部を送信することがないので、他のセルに対する干渉をできるだけ抑えることができる。さらに、本基地局装置は、全通信端末装置におけるミッドアンブル部の受信品質を必要十分となるような送信電力を用いて、ミッドアンブル部の送信を行うので、全通信端末装置におけるデータ部の受信品質を良好に保つことができる。
【００６３】
このような効果は、本基地局装置が３つ以上の通信端末装置と通信を行う場合においても、同様に得られることはいうまでもない。本基地局装置は、通信相手が多くなろうとも、単純に、全通信端末装置に対するデータ部の送信電力値のうち最大である送信電力値に基づいて、全通信端末装置に対するミッドアンブル部の送信電力を制御することにより、他セルに対する干渉をできるだけ抑えつつ、各通信端末装置の受信品質を良好に保つことができる。ここで、「最大である送信電力値」とは、「本基地局装置から最も遠い位置に存在している通信端末装置に対するデータ部の送信電力値」、または、「通信品質が最も悪い通信端末装置に対するデータ部の送信電力値」であるということができる。
【００６４】
また、本基地局装置と複数の通信端末装置との間の距離（位置関係）が時々刻々変ろうとも、本基地局装置は、全通信端末装置に送信される送信データ部の送信電力値のうち、前単位スロットにおいて最大であった送信電力値に代えて現単位スロットにおいて最大となっている送信電力値に基づいて、ミッドアンブル部の送信電力を制御することにより、全通信端末装置の移動に追従して常に、他のセルに対する干渉をできるだけ抑えつつ、全通信端末装置におけるデータ部およびミッドアンブル部の受信品質を良好に保つことができる。なお、上記単位スロットの区間については、適宜変更可能なものである。
【００６５】
このように、本実施の形態においては、所定の通信端末装置に対する送信信号におけるデータ部分については、上記所定の通信端末装置の受信品質に基づくクローズドループの送信電力制御に従って送信電力値を決定する一方、所定の通信端末装置に対する送信信号におけるミッドアンブル部分については、全通信端末装置に送信されるデータ部の送信電力値のうち最大である送信電力値に基づいて、全通信端末装置の間で共通となるような送信電力値を決定している。これにより、他セルに対する干渉を抑えつつ、各通信端末装置の受信品質が良好となるように、各通信端末装置に対する送信信号におけるミッドアンブル部分およびデータ部分の送信電力を適切に制御する基地局装置を提供することができる。
【００６６】
なお、本実施の形態においては、各通信端末装置に対するデータ部の送信電力値のうち最大である送信電力値に基づいて、全通信端末装置に共通のミッドアンブル部の送信電力値を設定する場合について説明したが、本発明は、これに限定されず、通信端末装置毎にクローズドループの送信電力制御がなされた上で、各通信端末装置に送信される情報信号の送信電力値に基づいて、全通信端末装置に対して共通の送信電力値を用いて送信される既知信号の送信電力値を設定する場合にも適用可能である。
【００６７】
具体的には、本発明は、上記実施の形態のような、所定の通信端末装置に対する情報信号と既知信号とが時間多重されて送信される場合だけでなく、以下に示すような場合にも適用可能である。ただし、以下の場合において、情報信号については、通信端末装置毎にクローズドループの送信電力制御がなされていることが必要である。
【００６８】
すなわち、まず第１に、本発明は、所定の通信端末装置に対する情報信号と既知信号とが符号多重されて送信され、かつ、この既知信号が全通信端末装置に対して共通に送信される場合に適用可能である。
【００６９】
第２に、本発明は、所定の通信端末装置に対する情報信号と既知信号とがそれぞれ別のチャネルを介して送信され（例えば、情報信号がＤＰＣＨを介して送信され、既知信号はＣＰＩＣＨを介して送信され）、かつ、既知信号が送信されるチャネルが全通信端末装置の間で共通である場合に適用可能である。
また、本発明は、基地局装置と通信端末装置との間でダイバーシチ送信およびダイバーシチ受信がなされている場合にも、適用することが可能なものである。
【００７０】
【発明の効果】
以上説明したように、本発明によれば、所定の通信端末装置に対する送信信号におけるデータ部分については、上記所定の通信端末装置の受信品質に基づくクローズドループの送信電力制御に従って送信電力を制御する一方、所定の通信端末装置に対する送信信号におけるミッドアンブル部分については、全通信端末装置に送信されるデータ部の送信電力値のうち最大である送信電力値に基づいて、全通信端末装置の間で共通となるように送信電力値を制御することにより、他セルに対する干渉を抑えつつ、各通信端末装置の受信品質が良好となるように、各通信端末装置に対する送信信号におけるミッドアンブル部分およびデータ部分の送信電力を適切に制御する基地局装置を提供することができる。
【図面の簡単な説明】
【図１】本発明の実施の形態にかかる基地局装置の構成を示すブロック図
【図２】（ａ）本発明の実施の形態にかかる基地局装置による通信端末装置Ａおよび通信端末装置Ｂに対する送信電力の大きさ（第１の場合）を示す模式図
（ｂ）本発明の実施の形態にかかる基地局装置による通信端末装置Ａおよび通信端末装置Ｂに対する送信電力の大きさ（第２の場合）を示す模式図
（ｃ）本発明の実施の形態にかかる基地局装置による通信端末装置Ａおよび通信端末装置Ｂに対する送信電力の大きさ（第３の場合）を示す模式図
【図３】基地局装置と通信端末装置との間における無線通信の様子を示す模式図
【符号の説明】
１０４，１０５  受信部
１０６，１０７  ＴＰＣコマンド復号部
１０８，１０９  データ部送信電力制御部
１１０  ミッドアンブル部送信電力制御部
１１１  多重部
【図１】
0003828730.tif 000002
【図２】
0003828730.tif 000003
【図３】
0003828730.tif 000004